(57)【特許請求の範囲】
【請求項１】
カメラ本体の第１アクセサリシューに電子ビューファインダを着脱自在に取り付けるための電子ビューファインダ用アダプタであって、
前記第１アクセサリシューに着脱自在に取り付けられるアクセサリシュー装着部を有するベース部材と、
前記アクセサリシュー装着部に設けられた第１コネクタであって、前記アクセサリシュー装着部の前記第１アクセサリシューへの着脱に連動して前記第１アクセサリシューに設けられたファインダ用画像信号の出力側コネクタに着脱自在に接続される第１コネクタと、
前記ベース部材に対して傾動自在に取り付けられたチルト部材と、
前記チルト部材に設けられた第２アクセサリシューと、
前記第２アクセサリシューに設けられた第２コネクタであって、前記電子ビューファインダに設けられたファインダ用画像信号の入力側コネクタに着脱自在に接続され、かつ前記第１コネクタと電気的に導通された第２コネクタと、
を備える、電子ビューファインダ用アダプタ。
【請求項２】
前記ベース部材と前記チルト部材との間に、前記チルト部材を回動自在に支持するパン部材を備える、請求項１に記載の電子ビューファインダ用アダプタ。
【請求項３】
前記チルト部材の傾動を規制し、かつ規制を解除するチルト規制部材と、
前記チルト部材の回動を規制し、かつ規制を解除するパン規制部材と、
を備える、請求項２に記載の電子ビューファインダ用アダプタ。
【請求項４】
前記パン部材には、前記ベース部材に対する前記チルト部材のセンタ位置を認識するセンタ認識部が備えられる、請求項２に記載の電子ビューファインダ用アダプタ。
【請求項５】
前記第２アクセサリシューは、前記ベース部材と前記チルト部材とが平行の場合に、前記アクセサリシュー装着部に対して偏った前記チルト部材上の位置に配設される、請求項１から４のいずれか１項に記載の電子ビューファインダ用アダプタ。
【請求項６】
前記ベース部材は、前記カメラ本体の前記第１アクセサリシューの周囲に設けられた第１補強部に係合する第２補強部を備え、
前記第２補強部は、前記アクセサリシュー装着部の前記第１アクセサリシューへの装着時に前記第１補強部と係合するレール部材である、請求項１から５のいずれか１項に記載の電子ビューファインダ用アダプタ。
【請求項７】
前記チルト部材は、前記電子ビューファインダの前記入力側コネクタの周囲に設けられた第３補強部に係合する第４補強部を備え、
前記第４補強部は、前記電子ビューファインダの前記第２アクセサリシューへの装着時に前記第３補強部と係合するレール部材である、請求項１から６のいずれか１項に記載の電子ビューファインダ用アダプタ。
【請求項８】
カメラ本体の第１アクセサリシューに電子ビューファインダを着脱自在に取り付けるための電子ビューファインダ用アダプタであって、
前記第１アクセサリシューに着脱自在に取り付けられるアクセサリシュー装着部を有するベース部材と、
前記アクセサリシュー装着部に設けられた第１コネクタであって、前記アクセサリシュー装着部の前記第１アクセサリシューへの着脱に連動して前記第１アクセサリシューに設けられたファインダ用画像信号の出力側コネクタに着脱自在に接続される第１コネクタと、
前記ベース部材に対して傾動自在に取り付けられたチルト部材と、
前記チルト部材に設けられた第２アクセサリシューと、
前記第２アクセサリシューに設けられた第２コネクタであって、前記電子ビューファインダに設けられたファインダ用画像信号の入力側コネクタに着脱自在に接続され、かつ前記第１コネクタと電気的に導通された第２コネクタと、
を備え、
前記ベース部材は、前記カメラ本体の前記第１アクセサリシューの周囲に設けられた第１補強部に係合する第２補強部を備え、
前記第２補強部は、前記アクセサリシュー装着部の前記第１アクセサリシューへの装着時に前記第１補強部と係合するレール部材である、電子ビューファインダ用アダプタが取り付けられるカメラであって、
前記電子ビューファインダ用アダプタの前記第２補強部に係合される前記第１補強部が備えられる、カメラ。
【請求項９】
前記第１補強部は、前記カメラ本体の前記第１アクセサリシューの周囲に設けられたレール部材である、請求項８に記載のカメラ。
【請求項１０】
カメラ本体の第１アクセサリシューに電子ビューファインダを着脱自在に取り付けるための電子ビューファインダ用アダプタであって、
前記第１アクセサリシューに着脱自在に取り付けられるアクセサリシュー装着部を有するベース部材と、
前記アクセサリシュー装着部に設けられた第１コネクタであって、前記アクセサリシュー装着部の前記第１アクセサリシューへの着脱に連動して前記第１アクセサリシューに設けられたファインダ用画像信号の出力側コネクタに着脱自在に接続される第１コネクタと、
前記ベース部材に対して傾動自在に取り付けられたチルト部材と、
前記チルト部材に設けられた第２アクセサリシューと、
前記第２アクセサリシューに設けられた第２コネクタであって、前記電子ビューファインダに設けられたファインダ用画像信号の入力側コネクタに着脱自在に接続され、かつ前記第１コネクタと電気的に導通された第２コネクタと、
を備え、
前記チルト部材は、前記電子ビューファインダの前記入力側コネクタの周囲に設けられた第３補強部に係合する第４補強部を備え、
前記第４補強部は、前記電子ビューファインダの前記第２アクセサリシューへの装着時に前記第３補強部と係合するレール部材である、電子ビューファインダ用アダプタに取り付けられる電子ビューファインダであって、
前記電子ビューファインダ用アダプタの前記第４補強部に係合される前記第３補強部が備えられる、電子ビューファインダ。
【請求項１１】
前記第３補強部は、前記電子ビューファインダの前記入力側コネクタの周囲に設けられたレール部材である、請求項１０に記載の電子ビューファインダ。
【発明の詳細な説明】
【技術分野】
【０００１】
本発明は、電子ビューファインダをカメラ本体のアクセサリシューに着脱自在に取り付けるための電子ビューファインダ用アダプタ、及び電子ビューファインダ用アダプタが取り付けられるカメラ、並びに電子ビューファインダ用アダプタに取り付けられる電子ビューファインダに関する。
【背景技術】
【０００２】
特許文献１には、カメラ本体に設けられたアクセサリシューに着脱自在に取り付けられる後付け型の電子ビューファインダが開示されている。この電子ビューファインダは、カメラ本体から受入する画像信号に基づいて画像を表示する表示部、及び表示部を拡大して観察するためのレンズ系が筐体に収納されてなるファインダ部と、ファインダ部をカメラ本体に取り付けるための取付部であって、カメラ本体に設けられたアクセサリシューに係脱自在に装着される取付部と、を備えている。【０００３】
また、特許文献１の電子ビューファインダは、カメラ本体に対してファインダ部を上下方向に回動自在に支持するチルト機構と、カメラ本体に対してファインダ部を水平面に沿って回動可能に支持するパン機構と、を備えている。特許文献１の電子ビューファインダによれば、モニタ装置を搭載していないカメラや、小型の液晶モニタを内蔵したカメラに対して、コンパクトで使いやすい後付け型の電子ビューファインダを提供できるというものである。【０００４】
一方、特許文献２には、カメラ本体上部に交換、及び着脱自在のプレートを設置可能とし、このプレートを介して電子ビューファインダ等の各種アクセサリ類が取り付け可能なデジタルカメラシステムが開示されている。特許文献２によれば、アクセサリ類を必要としない状況ではすっきりとコンパクトに、そしてアクセサリを搭載した状況でも、なるべく使用者のカメラの操作の邪魔にならないデジタルカメラシステムを実現することができるというものである。
【先行技術文献】
【特許文献】
【０００５】
【特許文献１】特開平１１−３５５６１８号公報
【特許文献２】特開２０１４−１０９６９９号公報
【発明の概要】
【発明が解決しようとする課題】
【０００６】
ところで、特許文献１の電子ビューファインダは、少なくともチルト機構を備えているため、チルト機構を備えていない特許文献２の後付けの電子ビューファインダと比較して、チルト機構の分だけ大型で重量物になるという問題があった。【０００７】
一方、特許文献２の後付けの電子ビューファインダは、小型軽量で携帯性に富んでいるが、チルト機構を備える特許文献１の電子ビューファインダと比較して、電子ビューファインダの接眼部の位置（カメラ本体に対する接眼部の上下方向の位置。以下、チルト位置と言う。）を所望のチルト位置に変更することができないので、撮影操作性が悪いとう問題があった。したがって、撮影操作性の悪い特許文献２の後付けの電子ビューファインダと、撮影操作性のよい特許文献１の電子ビューファインダとを使用したい場合には、双方の電子ビューファインダを所持する他なく、持ち運びの際の省スペース化を図ることができないという問題があった。【０００８】
更に、撮影者にもよるが、電子ビューファインダとしても兼用されるモニタ装置がカメラ本体に搭載されている場合には、電子ビューファインダを後付けすることなくカメラの小型化を優先し、モニタ装置で被写体を確認しながら撮影する場合もある。【０００９】
本発明は、このような事情に鑑みてなされたもので、撮影者の撮影操作性を向上させるとともに、持ち運びの際の省スペース化、及び後付けの電子ビューファインダの機能を不要とする撮影者へのカメラの小型化対応を両立させることができる電子ビューファインダ用アダプタ及びカメラ並びに電子ビューファインダを提供することを目的とする。
【課題を解決するための手段】
【００１０】
本発明の電子ビューファインダ用アダプタは、上記の目的を達成するために、カメラ本体の第１アクセサリシューに電子ビューファインダを着脱自在に取り付けるための電子ビューファインダ用アダプタであって、第１アクセサリシューに着脱自在に取り付けられるアクセサリシュー装着部を有するベース部材と、アクセサリシュー装着部に設けられた第１コネクタであって、アクセサリシュー装着部の第１アクセサリシューへの着脱に連動して第１アクセサリシューに設けられたファインダ用画像信号の出力側コネクタに着脱自在に接続される第１コネクタと、ベース部材に対して傾動自在に取り付けられたチルト部材と、チルト部材に設けられた第２アクセサリシューと、第２アクセサリシューに設けられた第２コネクタであって、電子ビューファインダに設けられたファインダ用画像信号の入力側コネクタに着脱自在に接続され、かつ第１コネクタと電気的に導通された第２コネクタと、を備える。【００１１】
本発明は、チルト機構を備えた電子ビューファインダ用アダプタを提供することにより、本発明の目的を達成するものである。【００１２】
すなわち、本発明の電子ビューファインダ用アダプタの一態様によれば、チルト機構を備えているので、このチルト機構により電子ビューファインダの接眼部を所望のチルト位置に変更することができる。これにより、撮影者の撮影操作性を向上させることができる。また、持ち運びの際には、電子ビューファインダ用アダプタと後付けの電子ビューファインダを持ち運べばよいので、二つの電子ビューファインダを持ち運ぶ従来の形態と比較して、持ち運びの際の省スペース化を図ることができる。更に、後付けの電子ビューファインダの機能を不要とする撮影者に対しては、電子ビューファインダ用アダプタを介して電子ビューファインダをカメラ本体に取り付けることなく、カメラ本体のモニタ装置を使用して被写体を確認する。これにより、後付けの電子ビューファインダの機能を不要とする撮影者へのカメラの小型化対応を両立させることができる。【００１３】
本発明の電子ビューファインダ用アダプタの一態様は、ベース部材とチルト部材との間に、チルト部材を回動自在に支持するパン部材を備えることが好ましい。これにより、電子ビューファインダの接眼部の位置（カメラ本体に対する接眼部の水平方向の位置。以下、パン位置と言う。）を所望のパン位置に変更することができる。したがって、チルト機構との相乗効果により、電子ビューファインダの撮影操作性がより一層向上する。【００１４】
本発明の電子ビューファインダ用アダプタの一態様は、チルト部材の傾動を規制し、かつ規制を解除するチルト規制部材と、チルト部材の回動を規制し、かつ規制を解除するパン規制部材と、を備えることが好ましい。これにより、電子ビューファインダのチルト位置及びパン位置を所望の姿勢で規制（ロック）した状態で被写体を確認することができる。【００１５】
本発明の電子ビューファインダ用アダプタの一態様は、パン部材には、ベース部材に対するチルト部材のセンタ位置を認識するセンタ認識部が備えられることが好ましい。チルト部材をセンタ位置に合わせた状態で、電子ビューファインダによって被写体を正対して確認したい場合に、チルト部材のセンタ位置を容易に認識することができるので便利である。【００１６】
本発明の電子ビューファインダ用アダプタの一態様は、第２アクセサリシューは、ベース部材とチルト部材とが平行の場合に、アクセサリシュー装着部に対して偏ったチルト部材上の位置に配設されることが好ましい。例えば、チルト部材をセンタ位置に合わせた状態であって、ベース部材とチルト部材とが平行の場合に、撮影者は、カメラ本体の背面から顔を離した位置で電子ビューファインダを覗くことができる。【００１７】
本発明の電子ビューファインダ用アダプタの一態様は、ベース部材は、カメラ本体の第１アクセサリシューの周囲に設けられた第１補強部に係合する第２補強部を備え、第２補強部は、アクセサリシュー装着部の第１アクセサリシューへの装着時に第１補強部と係合するレール部材であることが好ましい。これにより、第１アクセサリシューのファインダ用画像信号の出力側コネクタとベース部材の第１コネクタとの接続部を、第１補強部と第２補強部との係合力によって補強することができる。また、第２補強部はレール部材であるので、電子ビューファインダ用アダプタのアクセサリシュー装着部を、カメラ本体の第１アクセサリシューに対して移動して取り付ける際に、アクセサリシュー装着部の第１コネクタを第１アクセサリシューの出力側コネクタに接続するガイド部材として機能する。【００１８】
本発明の電子ビューファインダ用アダプタの一態様は、チルト部材は、電子ビューファインダの入力側コネクタの周囲に設けられた第３補強部に係合する第４補強部を備え、第４補強部は、電子ビューファインダの第２アクセサリシューへの装着時に第３補強部と係合するレール部材であることが好ましい。これにより、第２アクセサリシューの第２コネクタと電子ビューファインダの入力側コネクタとの接続部を、第３補強部と第４補強部との係合力によって補強することができる。また、第４補強部はレール部材であるので、電子ビューファインダの入力側コネクタを、電子ビューファインダ用アダプタの第２アクセサリシューに対して移動して取り付ける際に、入力側コネクタを第２コネクタに接続するガイド部材として機能する。【００１９】
また、本発明のカメラは、カメラ本体の第１アクセサリシューに電子ビューファインダを着脱自在に取り付けるための電子ビューファインダ用アダプタであって、第１アクセサリシューに着脱自在に取り付けられるアクセサリシュー装着部を有するベース部材と、アクセサリシュー装着部に設けられた第１コネクタであって、アクセサリシュー装着部の第１アクセサリシューへの着脱に連動して第１アクセサリシューに設けられたファインダ用画像信号の出力側コネクタに着脱自在に接続される第１コネクタと、ベース部材に対して傾動自在に取り付けられたチルト部材と、チルト部材に設けられた第２アクセサリシューと、第２アクセサリシューに設けられた第２コネクタであって、電子ビューファインダに設けられたファインダ用画像信号の入力側コネクタに着脱自在に接続され、かつ第１コネクタと電気的に導通された第２コネクタと、を備え、ベース部材は、カメラ本体の第１アクセサリシューの周囲に設けられた第１補強部に係合する第２補強部を備え、第２補強部は、アクセサリシュー装着部の第１アクセサリシューへの装着時に第１補強部と係合するレール部材である、電子ビューファインダ用アダプタが取り付けられるカメラであって、電子ビューファインダ用アダプタの第２補強部に係合される第１補強部が備えられる。【００２０】
本発明のカメラの一態様によれば、第１アクセサリシューのファインダ用画像信号の出力側コネクタとベース部材の第１コネクタとの接続部を、第１補強部と第２補強部との係合力によって補強することができる。【００２１】
本発明のカメラの一態様は、第１補強部は、カメラ本体の第１アクセサリシューの周囲に設けられたレール部材であることが好ましい。これにより、電子ビューファインダ用アダプタのアクセサリシュー装着部を、カメラ本体の第１アクセサリシューに対して移動して取り付ける際に、第１補強部は、アクセサリシュー装着部の第１コネクタを第１アクセサリシューの出力側コネクタに接続するガイド部材として機能する。【００２２】
更に、本発明の電子ビューファインダは、カメラ本体の第１アクセサリシューに電子ビューファインダを着脱自在に取り付けるための電子ビューファインダ用アダプタであって、第１アクセサリシューに着脱自在に取り付けられるアクセサリシュー装着部を有するベース部材と、アクセサリシュー装着部に設けられた第１コネクタであって、アクセサリシュー装着部の第１アクセサリシューへの着脱に連動して第１アクセサリシューに設けられたファインダ用画像信号の出力側コネクタに着脱自在に接続される第１コネクタと、ベース部材に対して傾動自在に取り付けられたチルト部材と、チルト部材に設けられた第２アクセサリシューと、第２アクセサリシューに設けられた第２コネクタであって、電子ビューファインダに設けられたファインダ用画像信号の入力側コネクタに着脱自在に接続され、かつ第１コネクタと電気的に導通された第２コネクタと、を備え、チルト部材は、電子ビューファインダの入力側コネクタの周囲に設けられた第３補強部に係合する第４補強部を備え、第４補強部は、電子ビューファインダの第２アクセサリシューへの装着時に第３補強部と係合するレール部材である、電子ビューファインダ用アダプタに取り付けられる電子ビューファインダであって、電子ビューファインダ用アダプタの第４補強部に係合される第３補強部が備えられる。【００２３】
本発明の電子ビューファインダの一態様によれば、第２アクセサリシューの第２コネクタと電子ビューファインダの入力側コネクタとの接続部を、第３補強部と第４補強部との係合力によって補強することができる。【００２４】
本発明の電子ビューファインダの一態様は、第３補強部は、電子ビューファインダの入力側コネクタの周囲に設けられたレール部材であることが好ましい。これにより、電子ビューファインダの入力側コネクタを、電子ビューファインダ用アダプタの第２アクセサリシューに対して移動して取り付ける際に、第３補強部は、入力側コネクタを第２コネクタに接続するガイド部材として機能する。
【発明の効果】
【００２５】
本発明の電子ビューファインダ用アダプタ及びカメラ並びに電子ビューファインダによれば、撮影者の撮影操作性を向上させるとともに、持ち運びの際の省スペース化、及び後付けの電子ビューファインダの機能を不要とする撮影者へのカメラの小型化対応を両立させることができる。
【図面の簡単な説明】
【００２６】
【図１】本発明のカメラが適用されたデジタルカメラのカメラ本体の正面図
【図２】図１に示したカメラ本体の背面図
【図３】図１に示したカメラ本体の上面図
【図４】図１に示したカメラ本体を正面側から見た斜視図
【図５】図１に示したカメラ本体を背面側から見た斜視図
【図６】電子ビューファインダが電子ビューファインダ用アダプタを介してカメラ本体に取り付けられたカメラ本体の斜視図
【図７】カメラ本体に対して電子ビューファインダ及び電子ビューファインダ用アダプタを分離して示した組立斜視図
【図８】カメラ本体に撮影レンズが取り付けられたデジタルカメラの上面図
【図９】デジタルカメラの制御系の概略構成を示すブロック図
【図１０】電子ビューファインダ用アダプタを底面側から見た斜視図
【図１１】アクセサリシューを含むカメラ本体の上面の拡大斜視図
【図１２】電子ビューファインダを下方から見た斜視図
【図１３】電子ビューファインダ用アダプタを上方側から見た斜視図
【図１４】チルト規制部材の要部構成を示した斜視図
【図１５】パン規制部材の要部構成を示した斜視図
【図１６】図１５に示した要部構成を拡大して示した断面図
【図１７】センタ認識部の要部構成を示した斜視図
【図１８】撮影者側から見てチルト部材をセンタ位置から４５°右側に回動させたパン位置に保持した説明図
【図１９】撮影者側からみてチルト部材をセンタ位置から９０°上方に傾動させたチルト位置に保持した説明図
【発明を実施するための形態】
【００２７】
以下、添付図面に従って本発明を実施するための好ましい形態について詳説する。
【００２８】
図１、図２及び図３は、それぞれ本発明のカメラが適用されたデジタルカメラ１０のカメラ本体１２の実施形態の一例を示した正面図、背面図及び上面図である。
【００２９】
また、図４は、カメラ本体１２を正面側から見た斜視図であり、図５は、カメラ本体１２を背面側から見た斜視図である。
【００３０】
更に、図６は、実施形態の電子ビューファインダ１４が、実施形態の電子ビューファインダ用アダプタ１６を介してカメラ本体１２に着脱自在に取り付けられたカメラ本体１２の斜視図である。
【００３１】
また、図７は、カメラ本体１２に対して電子ビューファインダ１４及び電子ビューファインダ用アダプタ１６を分離して示した斜視図であり、同図の矢印Ａはカメラ本体１２に対する電子ビューファインダ用アダプタ１６の取り付け方向を示し、矢印Ｂは電子ビューファインダ用アダプタ１６に対する電子ビューファインダ１４の取り付け方向を示している。なお、矢印Ａ方向と矢印Ｂ方向とは同方向である。更にまた、図８は、カメラ本体１２に撮影レンズ１８が取り付けられたデジタルカメラ１０の上面図である。図９は、デジタルカメラ１０の制御系の構成を示したブロック図である。
【００３２】
まず、図１〜図３に基づき、カメラ本体１２を中心とする複数の方向を定義して、カメラ本体１２の各構成面を定義する。デジタルカメラ１０の撮影光軸Ｌに沿う図３のｘ方向を前後方向と定義し、被写体側を前方、デジタルカメラ１０を操作する撮影者側を後方と定義する。これにより、カメラ本体１２の被写体側の構成面を正面１２Ａと定義し、正面１２Ａに対向する撮影者側の構成面を背面１２Ｂと定義する。また、撮影光軸Ｌに直交する図１〜図３のｙ方向をデジタルカメラ１０の幅方向と定義し、図２におけるｙ方向の右側の構成面を右側面１２Ｃと定義し、左側の構成面を左側面１２Ｄと定義する。更に、ｘ方向とｙ方向とに直交する図１、図２のｚ方向をデジタルカメラ１０の高さ方向と定義し、第１アクセサリシューであるアクセサリシュー２０が設けられた構成面を上面１２Ｅと定義し、上面１２Ｅに対向する構成面を底面１２Ｆと定義する。
【００３３】
〔デジタルカメラ１０〕
実施形態のデジタルカメラ１０は、レンズ交換式のデジタルカメラであり、かつ、ノンレフレックス型のデジタルカメラである。レンズ交換式とは、図８に示した撮影レンズ１８が交換可能なデジタルカメラのことを指す。ノンレフレックス型とは、撮影レンズ１８からの入射光を光学式ファインダに導くためのレフレックスミラーのないデジタルカメラのことを指し、ミラーレスとも称される。実施形態のデジタルカメラ１０は、光学式ファインダを備えておらず、ファインダとして、後述する実施形態の電子ビューファインダ１４が使用され、又は背面１２Ｂに設けられた、モニタ装置であるメインディスプレイ２２が使用される。
【００３４】
〈カメラ本体１２〉
図１〜図４の如くカメラ本体１２には、アクセサリシュー２０、メインディスプレイ２２、レンズマウント２４、サブディスプレイ２６等が所定の構成面に備えられる。また、操作部材として、シャッターボタン２８、電源レバー３０、再生ボタン３２、消去ボタン３４、ＡＦロックボタン３６、ＡＥロックボタン３８、メニューボタン４０、セレクターボタン４２、ＢＡＣＫボタン４４、リアコマンドダイヤル４６及び操作ダイヤル４８等が所定の構成面に備えられる。
【００３５】
カメラ本体１２は、前後方向（ｘ方向）の厚さの薄い矩形の箱形状を有する。カメラ本体１２は、右側面１２Ｃがグリップ部として構成される。撮影者は、グリップ部を把持してシャッターボタン２８をレリーズ操作する。グリップ部には、正面１２Ａ側に突出したグリップ５０、背面１２Ｂ側にサムレスト５２が備えられる。
【００３６】
〈レンズマウント２４〉
レンズマウント２４は、図８に示した撮影レンズ１８の取り付け部である。図１の如くレンズマウント２４は、カメラ本体１２の正面１２Ａに備えられる。撮影レンズ１８は、レンズマウント２４に着脱自在に装着される。レンズマウント２４は、バヨネット式で構成される。
【００３７】
〈メインディスプレイ２２〉
メインディスプレイ２２は、主として画像の表示に使用されるディスプレイであるが、電子ビューファインダとしても使用される。図２の如く、メインディスプレイ２２は、カメラ本体１２の背面１２Ｂに備えられる。メインディスプレイ２２は、たとえば、カラーＬＣＤ（Liquid Crystal Display／液晶ディスプレイ）で構成される。
【００３８】
メインディスプレイ２２に表示される画像には、撮影済み画像の他、ライブビュー画像が含まれる。ライブビューとは、イメージセンサで捉えた画像をリアルタイムに表示する機能のことである。ライブビューすることにより、メインディスプレイ上で画角、フォーカス状態等の確認が可能になる。
【００３９】
また、メインディスプレイ２２は、ＧＵＩ（Graphical User Interface／グラフィカル撮影者インタフェース）としても利用される。すなわち、各種設定を行う際、メインディスプレイ２２に設定画面が表示され、その設定画面で各種設定が行われる。
【００４０】
〈サブディスプレイ２６〉
サブディスプレイ２６は、メインディスプレイ２２に比して小画面の表示装置で構成される。図３の如くサブディスプレイ２６は、カメラ本体１２の上面１２Ｅに備えられる。サブディスプレイ２６は、例えば、照明を備えた反射型のＬＣＤで構成される。サブディスプレイ２６は、矩形の表示面を有し、その短辺が撮影光軸Ｌと平行に配置される。より具体的には、短辺が前後方向（ｘ方向）に沿って配置され、かつ、長辺が幅方向（ｙ方向）に沿って配置される。
【００４１】
サブディスプレイ２６には、主としてデジタルカメラ１０の設定内容が表示される。このサブディスプレイ２６に表示される情報には、少なくとも操作ダイヤル４８で設定される項目の設定値の情報が含まれる。
【００４２】
〈アクセサリシュー２０〉
アクセサリシュー２０は、実施形態の電子ビューファインダ用アダプタ１６のアクセサリシュー装着部５４（図１０参照）が着脱自在に取り付けられる取り付け部であり、カメラ本体１２の上面１２Ｅに備えられる。なお、図１０は、電子ビューファインダ用アダプタ１６を底面側から見た斜視図である、電子ビューファインダ用アダプタ１６の構成については後述する。
【００４３】
図１１は、アクセサリシュー２０を含むカメラ本体１２の上面１２Ｅの拡大斜視図である。アクセサリシュー２０は、カメラ本体１２の上面１２Ｅにｙ方向に沿って配設されたファインダ用画像信号の出力側コネクタ５６を有する。また、アクセサリシュー２０は、不図示の後付けストロボの接続部に設けられた端子群と接続される端子群（シンクロターミナル等の端子）５８が設けられている。後付けストロボは、それぞれの端子群同士が電気的に接続されることで、カメラ本体１２との通信が可能となる。
【００４４】
また、アクセサリシュー２０の周囲であって、アクセサリシュー２０を包囲するように第１補強部である一対のレール部材６０が上面１２Ｅに固定される。このレール部材６０は、ｚ方向における縦断面がＬ字状であって、ｘ方向に沿って配設されており、電子ビューファインダ用アダプタ１６の第２補強部である一対のレール部材６２（図１０参照）に係合される。このレール部材６２もｚ方向における縦断面がＬ字状であって、ｘ方向に沿って配設されている。
【００４５】
レール部材６０とレール部材６２とは、電子ビューファインダ用アダプタ１６のアクセサリシュー装着部５４を、アクセサリシュー２０に対してｘ方向（図７のＡ方向）に移動して取り付ける際に、アクセサリシュー装着部５４の第１コネクタ６４をアクセサリシュー２０の出力側コネクタ５６に接続するガイド部材として機能する。また、第１コネクタ６４が出力側コネクタ５６に接続された状態においては、レール部材６０とレール部材６２との係合力によって、その接続部の強度を補強する機能を有する。
【００４６】
ところで、実施形態のデジタルカメラ１０では、アクセサリシュー２０に対して電子ビューファインダ１４がオフセットされて使用される。ここで、図１２、図１３を参照して説明する。図１２は、電子ビューファインダ１４を下方側から見た斜視図であり、図１３は、電子ビューファインダ用アダプタ１６を上方側から見た斜視図である。
【００４７】
図６に示したような電子ビューファインダ１４の使用時には、電子ビューファインダ１４に設けられたファインダ用画像信号の入力側コネクタ６６（図１２参照）が接続される第２コネクタ６８（図１３参照）、すなわち、電子ビューファインダ用アダプタ１６の第２アクセサリシューであるアクセサリシュー７０（図１３参照）に設けられた第２コネクタ６８が、図１０に示したアクセサリシュー装着部５４に対して偏った位置（アクセサリシュー装着部５４の真上から側方にずれた位置）にある。このため、出力側コネクタ５６と第１コネクタ６４との接続部には、電子ビューファインダ１４の重さによるモーメント力が負荷されるが、レール部材６０とレール部材６２との係合力によって、その接続部の強度が補強されている。これにより、上記のモーメント力に起因する接続部の不用意な抜け、故障等の不具合が防止されている。
【００４８】
〈シャッターボタン２８〉
シャッターボタン２８は、カメラ本体１２のグリップ５０の上面に備えられる。シャッターボタン２８は、いわゆる半押しと全押しとからなる二段式のスイッチで構成される。シャッターボタン２８が半押しされると、撮影準備、すなわち、ＡＥ及びＡＦが実行され、全押しされると、本撮影、すなわち、記録用の撮影が実行される。なお、ＡＥとは、Automatic Exposure（自動露光）の略であり、デジタルカメラ１０が被写体の明るさを自動的に計測し、適正露出を決定する機能のことである。また、ＡＦとは、Automatic Focus（自動焦点）の略であり、デジタルカメラ１０が被写体との距離を自動的に計測し、焦点を合わせる機能のことである。
【００４９】
〈電源レバー３０〉
電源レバー３０は、シャッターボタン２８と同軸上に回動自在に配置される。電源レバー３０をオン位置に回動すると、デジタルカメラ１０の電源がオンされ、オフ位置に回動すると、デジタルカメラ１０の電源がオフされる。
【００５０】
〈再生ボタン３２〉
再生ボタン３２は、デジタルカメラ１０のモードを再生モードの切り替えるボタンである。再生ボタン３２は、カメラ本体１２の背面１２Ｂに備えられ、メインディスプレイ２２の上方に配置される。デジタルカメラ１０のモードが撮影モードに設定されている状態で再生ボタン３２を押すと、デジタルカメラ１０のモードが再生モードに切り替えられる。再生モードに設定されると、最後に撮影した画像がメインディスプレイ２２に表示される。
【００５１】
なお、再生モードから撮影モードに切り替える機能は、シャッターボタン２８に割り当てられている。再生モードに設定されている状態でシャッターボタン２８を押すと、デジタルカメラ１０のモードが撮影モードに切り替えられる。
【００５２】
〈消去ボタン３４〉
消去ボタン３４は、メインディスプレイ２２に表示されている撮影済み画像の消去を指示するボタンである。消去ボタン３４は、カメラ本体１２の背面１２Ｂに備えられ、メインディスプレイ２２の上方に配置される。撮影済み画像をメインディスプレイ２２に表示している状態で消去ボタン３４を押すと、消去を確認する画面がメインディスプレイ２２に表示される。メインディスプレイ２２の表示に従って消去の実行を指示すると、再生中の撮影済み画像がメモリーカードから消去される。
【００５３】
〈ＡＦロックボタン３６〉
ＡＦロックボタン３６は、フォーカスのロックを指示するボタンである。図２の如くＡＦロックボタン３６は、カメラ本体１２の背面１２Ｂに備えられ、サムレスト５２の近傍に配置される。ＡＦロックボタン３６を押すと、フォーカスがロックされる。
【００５４】
〈ＡＥロックボタン３８〉
ＡＥロックボタン３８は、露出のロックを指示するボタンである。図２の如くＡＥロックボタン３８は、カメラ本体１２の背面１２Ｂに備えられ、サムレスト５２の近傍に配置される。ＡＥロックボタン３８を押すと、露出がロックされる。
【００５５】
〈メニューボタン４０〉
メニューボタン４０は、メニュー画面をメインディスプレイ２２に呼び出すボタンである。メニューボタン４０は、カメラ本体１２の背面１２Ｂに備えられる。撮影モード又は再生モードに設定されている状態でメニューボタン４０を押すと、メインディスプレイ２２にメニュー画面が表示される。なお、メニューボタン４０は、ＯＫボタンとしても機能し、選択事項、確認事項等について、ＯＫを指示する際に使用される。
【００５６】
〈セレクターボタン４２〉
セレクターボタン４２は、メニューボタン４０を中心にして同一円上に配置された上下左右の４つのボタンで構成される。各ボタンには、デジタルカメラ１０の設定状況に応じた機能が割り当てられる。
【００５７】
〈ＢＡＣＫボタン４４〉
ＢＡＣＫボタン４４は、メインディスプレイ２２の表示を１つ前の状態に戻すことを指示するボタンである。ＢＡＣＫボタン４４は、カメラ本体１２の背面１２Ｂに備えられる。各種設定画面がメインディスプレイ２２に表示されている状態でＢＡＣＫボタン４４が押されると、メインディスプレイ２２の表示が１つ前の状態に戻される。これにより、選択事項、確認事項等をキャンセルできる。
【００５８】
〈リアコマンドダイヤル４６〉
リアコマンドダイヤル４６は、カメラ本体１２の内部で回転自在に支持され、その外周の一部がカメラ本体１２の背面１２Ｂに露出して設けられる。実施形態のデジタルカメラ１０では、カメラ本体１２をグリップする手の親指で操作可能な位置に配置される。リアコマンドダイヤル４６には、デジタルカメラ１０の設定状態に応じて種々の機能が割り当てられる。
【００５９】
〈操作ダイヤル４８〉
操作ダイヤル４８は、回転式の操作ダイヤルの一例であり、デジタルカメラ１０の各種設定に使用される。操作ダイヤル４８で設定する項目は、撮影者によって選択される。
【００６０】
操作ダイヤル４８は、カメラ本体１２の上面１２Ｅに備えられる。実施形態のデジタルカメラ１０では、グリップ部側の端部に操作ダイヤル４８が備えられる。これにより、カメラ本体１２をグリップする手の指で操作ダイヤル４８を操作できる。
【００６１】
〈制御系〉
図９に示したブロック図の如く、実施形態のデジタルカメラ１０は、イメージセンサ７２、イメージセンサ駆動部７４、シャッタ７６、シャッタ駆動部７８、アナログ信号処理部８０、画像データ入力部８２、ワークメモリ８４、データメモリ８６、デジタル信号処理部８８、記録制御部９０、メインディスプレイ駆動部９２、サブディスプレイ駆動部９４、操作部９６、システムコントローラ９８等を有する。
【００６２】
イメージセンサ７２は、撮影レンズ１８を介して結像した被写体の光学像を電気信号に変換して出力する。イメージセンサ７２には、ＣＣＤ（Charged Coupled Device）イメージセンサ、ＣＭＯＳ（Complementary Metal Oxide Semiconductor）イメージセンサ等の公知のイメージセンサが使用される。
【００６３】
イメージセンサ駆動部７４は、システムコントローラ９８からの指令に応じて、イメージセンサ７２を駆動する。
【００６４】
シャッタ７６は、スクエア型のフォーカルプレーンシャッターで構成され、イメージセンサ７２の直前に配置される。なお、図１には、シャッタが全開された状態が示されている。
【００６５】
シャッタ駆動部７８は、システムコントローラ９８からの指令に応じて、シャッタ７６を駆動する。
【００６６】
アナログ信号処理部８０は、イメージセンサ７２から出力された信号を取り込み、相関二重サンプリング処理、増幅処理等の所要の信号処理を施す。また、アナログ信号処理部８０は、所要の信号処理を施したアナログの画像信号をデジタルの画像信号に変換して出力する。
【００６７】
画像データ入力部８２は、システムコントローラ９８からの指令に応じて、アナログ信号処理部８０から出力されるデジタルの画像信号を取り込む。取り込まれた１枚分の画像データは、ワークメモリ８４に格納される。
【００６８】
ワークメモリ８４は、作業用のメモリとして利用される。データメモリ８６は、ＥＥＰＲＯＭ（Electrically Erasable Programmable Read Only Memory）等の不揮発性メモリで構成され、制御等に必要なデータが記憶される。
【００６９】
デジタル信号処理部８８は、ワークメモリ８４に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００７０】
記録制御部９０は、システムコントローラ９８からの指令に応じて、メモリーカード１００にアクセスし、データを読み書きする。撮影により得られた画像データは、メモリーカード１００に記録される。
【００７１】
メインディスプレイ駆動部９２は、システムコントローラ９８からの指令に応じて、メインディスプレイ２２を駆動する。
【００７２】
サブディスプレイ駆動部９４は、システムコントローラ９８からの指令に応じて、サブディスプレイ２６を駆動する。
【００７３】
操作部９６は、シャッターボタン２８、電源レバー３０、再生ボタン３２、消去ボタン３４、ＡＦロックボタン３６、ＡＥロックボタン３８、メニューボタン４０、セレクターボタン４２、ＢＡＣＫボタン４４、リアコマンドダイヤル４６、及び、操作ダイヤル４８等を含み、各操作部材の操作に応じた信号をシステムコントローラ９８に出力する。
【００７４】
システムコントローラ９８は、デジタルカメラ１０の各部の動作を制御する制御部である。システムコントローラ９８は、マイクロコンピュータで構成される。すなわち、マイクロコンピュータが所定の制御プログラムを実行することによりシステムコントローラ９８として機能し、デジタルカメラ１０の各部の動作を制御する制御部として機能する。
【００７５】
システムコントローラ９８は、撮影レンズ１８の制御部としても機能する。システムコントローラ９８は、撮影レンズ１８に備えられたレンズ駆動部１８ａを介して、撮影レンズ１８の動作を制御する。撮影レンズ１８は、絞り、フォーカスレンズ等を備える。レンズ駆動部１８ａは、絞りを駆動する絞り駆動部、フォーカスレンズを駆動するフォーカスレンズ駆動部等を備える。
【００７６】
〔電子ビューファインダ用アダプタ１６〕
図１０、図１１、図１２、図１３等を参照して説明する。
【００７７】
電子ビューファインダ用アダプタ１６は、カメラ本体１２のアクセサリシュー２０に電子ビューファインダ１４を着脱自在に取り付けるためのアダプタである。この電子ビューファインダ用アダプタ１６は、アクセサリシュー２０に着脱自在に取り付けられるアクセサリシュー装着部５４を有するベース部材１０２と、アクセサリシュー装着部５４に設けられた第１コネクタ６４であって、アクセサリシュー装着部５４のアクセサリシュー２０への着脱に連動してアクセサリシュー２０に設けられた出力側コネクタ５６に着脱自在に接続される第１コネクタ６４と、を有する。また、電子ビューファインダ用アダプタ１６は、ベース部材１０２に対して図１０、図１３の矢印Ｃ方向（上下方向）に傾動自在に取り付けられたチルト部材１０４と、チルト部材１０４の上面１０４Ａに設けられた第２アクセサリシューであるアクセサリシュー７０と、を有する。更に、電子ビューファインダ用アダプタ１６は、アクセサリシュー７０に設けられた第２コネクタ６８であって、電子ビューファインダ１４に設けられたファインダ用画像信号の入力側コネクタ６６に着脱自在に接続され、かつ第１コネクタ６４と電気的に導通された第２コネクタ６８と、を備える。第１コネクタ６４と第２コネクタ６８とを電気的に導通させる手段としては、不図示のフレキシブルプリント基板が使用されている。
【００７８】
〈ベース部材１０２〉
ベース部材１０２は、平面視で略半円形状に構成された箱体であり、その底面１０２Ｂに、アクセサリシュー装着部５４、第１コネクタ６４及び一対のレール部材６２が所定の位置に配置されている。また、ベース部材１０２の内部には、パン部材であるパンテーブル１１２をベース部材１０２に対して図１０、図１３の矢印Ｄ方向（水平方向）に回動自在に支持するパン軸１１４が備えられている。このパン軸１１４を中心にパンテーブル１１２が、ベース部材１０２の上面１０２Ａに回動自在に搭載されている。なお、パン軸１１４は軸体であっても、仮想のものであってもよい。
【００７９】
〈チルト部材１０４〉
チルト部材１０４は、平面視で略矩形状に構成された板状体であり、パンテーブル１１２のチルト軸１１６に上下方向に傾動自在に連結されている。電子ビューファインダ用アダプタ１６がカメラ本体１２のアクセサリシュー２０に取り付けられて、チルト部材１０４がセンタ位置に配置された図６の位置、すなわち、電子ビューファインダ用アダプタ１６に取り付けられた電子ビューファインダ１４が被写体と正対した図６の位置において、チルト軸１１６は、パンテーブル１１２の被写体側に固定された一対のチルトアーム１１８に回動自在に支持されている。このチルト軸１１６に、チルト部材１０４の被写体側の端部１０４Ｂが連結されている。これにより、チルト部材１０４は、被写体側に配置されたチルトアーム１１８に片持ち支持された状態で傾動される。
【００８０】
〈パンテーブル１１２〉
電子ビューファインダ用アダプタ１６においてパンテーブル１１２は、ベース部材１０２とチルト部材１０４との間に備えられ、パン軸１１４を回動中心としてチルト部材１０４を水平方向に回動自在に支持する。なお、パンテーブル１１２は、本発明の電子ビューファインダ用アダプタにおいて必須の構成要素ではなく、電子ビューファインダ用アダプタ１６に備えることは任意である。パンテーブル１１２を備えていない電子ビューファインダ用アダプタの形態では、ベース部材１０２にチルト部材１０４を上下方向に傾動自在に支持すればよい。
【００８１】
また、電子ビューファインダ用アダプタ１６は、チルト部材１０４の傾動を規制し、かつ規制を解除するチルト規制部材１２０（図１３参照）と、チルト部材１０４の回動を規制し、かつ規制を解除するパン規制部材１２２（図１０参照）と、を備える。
【００８２】
〈チルト規制部材１２０〉
図１４は、チルト規制部材１２０の要部構成を示した斜視図である。
【００８３】
チルト規制部材１２０は、チルト軸１１６の端部に螺合されたチルトロックダイヤル１２４と、チルトロックダイヤル１２４の端部フランジ１２６とチルトアーム１１８との間に介在されたゴムワッシャ１２８と、を備える。
【００８４】
実施形態のチルト規制部材１２０によれば、チルトロックダイヤル１２４をチルト軸１１６の端部に矢印Ｅ方向に締め込むと、端部フランジ１２６がチルトアーム１１８の側面にゴムワッシャ１２８を介して押圧当接され、これによって生じるチルト軸１１６の回動方向の摩擦力によって、チルト軸１１６の回動が規制される。また、チルトロックダイヤル１２４を矢印Ｆ方向に緩めると、チルト軸１１６の回動方向の摩擦力が解消されるので、チルト部材１０４の傾動規制が解除される。なお、チルト規制部材１２０の形態は、図１４に示した形態に限定されるものではなく、チルト軸１１６の回動を規制して、チルト部材１０４を所望のチルト位置で保持できるものであればよい。
【００８５】
〈パン規制部材１２２〉
図１５は、パン規制部材１２２の要部構成を示した斜視図であり、図１６は、図１５に示した要部構成を更に拡大して示した断面図である。
【００８６】
パン規制部材１２２は、ベース部材１０２の側面から外方に突設されたパンロックレバー１３０と、パンロックレバー１３０にアーム１３２を介して連結されたフリクションリング１３４であって、ベース部材１０２の旋回座１３６に沿って配置されたフリクションリング１３４と、を有する。また、パン規制部材１２２は、ベース部材１０２の内部に固定されてアーム１３２が摺接されたテーパガイド部材１３７を有する。アーム１３２は、テーパガイド部材１３７の傾斜面１３７Ａに摺接される。この傾斜面１３７Ａは、パンロックレバー１３０の矢印Ｇ方向の操作方向において、パンテーブル１１２の底面１１２Ｂに近づく方向に傾斜して形成されている。したがって、パンロックレバー１３０が矢印Ｇ方向に操作されると、アーム１３２がテーパガイド部材１３７の傾斜面１３７Ａに沿って矢印Ｈ方向（パンテーブル１１２の底面１１２Ｂに近づく方向）に移動し、これによってフリクションリング１３４も矢印Ｈ方向に移動する。更に、パン規制部材１２２は、パンテーブル１１２の底面に設けられたフリクションリング１３８を有する。このフリクションリング１３８は、フリクションリング１３４に対向して配置されており、フリクションリング１３４の凸部１３４Ａに嵌合される凹部１３８Ａを備える。
【００８７】
実施形態のパン規制部材１２２によれば、パンロックレバー１３０を矢印Ｇ方向に操作すると、アーム１３２を介してフリクションリング１３４が矢印Ｈ方向に移動し、フリクションリング１３４の凸部１３４Ａがフリクションリング１３８の凹部１３８Ａに嵌合する。これによって生じるパン軸１１４の回動方向の摩擦力によって、チルト部材１０４の水平方向の回動が規制される。また、パンロックレバー１３０を矢印Ｉ方向に操作すると、凹部１３８Ａから凸部１３４Ａが離間し、パン軸１１４の回動方向の摩擦力が解消されるので、チルト部材１０４の回動規制が解除される。なお、パン規制部材１２２の形態は、図１５、図１６に示した形態に限定されるものではなく、パン軸１１４の回動を規制して、チルト部材１０４を所望のパン位置で保持できるものであればよい。
【００８８】
一方、電子ビューファインダ用アダプタ１６のパンテーブル１１２には、ベース部材１０２に対するチルト部材１０４のセンタ位置を認識するセンタ認識部１４０が備えられる（図１７参照）。
【００８９】
〈センタ認識部１４０〉
ここで、ベース部材１０２に対するチルト部材１０４のセンタ位置とは、先に説明した図６の位置である。すなわち、電子ビューファインダ用アダプタ１６に取り付けられた電子ビューファインダ１４が被写体と正対した位置を指す。
【００９０】
図１７は、センタ認識部１４０の要部構成を示した斜視図である。
【００９１】
センタ認識部１４０は、クリックボール１４２、バネ１４４、及びクリックボール嵌合溝１４６を備えて構成される。
【００９２】
クリックボール１４２は、パンテーブル１１２のパン軸１１４が配置される開口縁部の一部を切り欠いた凹部１４７に配置される。また、バネ１４４も凹部１４７に配置され、バネ１４４によってクリックボール１４２が、ベース部材１０２の旋回座１３６の外周面に向けて付勢されている。クリックボール嵌合溝１４６は、旋回座１３６の外周面に形成されており、その形成位置は、ベース部材１０２に対してパンテーブル１１２を回動させた際に、電子ビューファインダ１４が被写体と正対する位置に対応した位置に形成されている。
【００９３】
したがって、実施形態のセンタ認識部１４０によれば、ベース部材１０２に対してパンテーブル１１２を回動させて、クリックボール１４２がクリックボール嵌合溝１４６に嵌合した際に、チルト部材１０４がセンタ位置に設定される。
【００９４】
なお、センタ認識部１４０の形態は、図１７に示したクリックボール１４２を使用したものに限定されるものではなく、ベース部材１０２及びパンテーブル１１２にセンタ位置を認識させる目盛を付したものであってもよい。また、音、光を発生させて電子的にセンタ位置を認識させる形態であってもよい。つまり、センタ認識部１４０は、クリックボール１４２や目盛を使用した機械的なものでもよく、音、光を利用した電子的なものでもよい。
【００９５】
一方、図１３の如くチルト部材１０４の上面１０４Ａには、第４補強部である一対のレール部材１５０が備えられる。このレール部材１５０には、図１２に示した電子ビューファインダ１４の入力側コネクタ６６の周囲に設けられた第３補強部である一対のレール部材１４８が係合される、これにより、第２コネクタ６８と電子ビューファインダ１４の入力側コネクタ６６との接続部を、レール部材１４８とレール部材１５０との係合力によって補強することができる。レール部材１４８とレール部材１５０については、以下の電子ビューファインダ１４の欄にて説明する。
【００９６】
〔電子ビューファインダ１４〕
電子ビューファインダ１４は、ＬＣＤと光学系とを内蔵した電子式のファインダである。電子ビューファインダ１４の底面１４Ｂには、ファインダ用画像信号の入力側コネクタ６６が設けられ、また、後部には撮影者が覗く接眼部１５２が備えられる。入力側コネクタ６６は、電子ビューファインダ用アダプタ１６に対する電子ビューファインダ１４の装着時に、電子ビューファインダ用アダプタ１６の第２コネクタ６８に着脱自在に接続される。
【００９７】
また、電子ビューファインダ用アダプタ１６では、アクセサリシュー７０の周囲であって、アクセサリシュー７０を包囲するように第４補強部である一対のレール部材１５０がチルト部材１０４の上面１０４Ａに固定される。このレール部材１５０は、ｚ方向における縦断面がＬ字状であって、ｘ方向に沿って配設されており、電子ビューファインダ１４の第３補強部である一対のレール部材１４８が係合される。このレール部材１４８もｚ方向における縦断面がＬ字状であって、ｘ方向に沿って配設されている。
【００９８】
レール部材１４８とレール部材１５０とは、電子ビューファインダ１４の入力側コネクタ６６を、アクセサリシュー７０に対してｘ方向（図７のＢ方向）に移動して取り付ける際に、入力側コネクタ６６を第２コネクタ６８に接続するガイド部材として機能する。また、入力側コネクタ６６が第２コネクタ６８に接続された状態においては、レール部材１４８とレール部材１５０との係合力によって、その接続部の強度を補強する機能を有する。
【００９９】
なお、レール部材１４８と図１０に示したレール部材６２とは同一サイズなので、カメラ本体１２のアクセサリシュー２０に電子ビューファインダ１４を直接接続することもできる。この場合、カメラ本体１２の出力側コネクタ５６に、電子ビューファインダ１４の入力側コネクタ６６が接続される。
【０１００】
また、図６の如く電子ビューファインダ１４の上面１４Ａには、後付けストロボが取り付けられるアクセサリシュー１６０が設けられる。このアクセサリシュー１６０の周囲にも一対のレール部材１６２が設けられ、このレール部材１６２は、後付けストロボ側の一対のレール部材に係合される。
【０１０１】
〔電子ビューファインダ用アダプタ１６の使用方法〕
次に、上記の如く構成された電子ビューファインダ用アダプタ１６の使用方法の一例を説明する。
【０１０２】
まず、カメラ本体１２から分離されている電子ビューファインダ用アダプタ１６の第１コネクタ６４を、カメラ本体１２のアクセサリシュー２０の出力側コネクタ５６に接続する。この接続方法は前述したので、ここでは説明を省略する。このとき、第１コネクタ６４と出力側コネクタ５６との接続部は、レール部材６０とレール部材６２との係合力によって補強される。
【０１０３】
次に、電子ビューファインダ用アダプタ１６から分離されている電子ビューファインダ１４の入力側コネクタ６６を、電子ビューファインダ用アダプタ１６の第２コネクタ６８に接続する。この接続方法は前述したので、ここでは説明を省略する。このとき、第２コネクタ６８と入力側コネクタ６６との接続部は、レール部材１４８とレール部材１５０との係合力によって補強される。
【０１０４】
以上の組立手順により電子ビューファインダ１４が、電子ビューファインダ用アダプタ１６を介してカメラ本体１２に取り付けられる。
【０１０５】
次に、撮影時における電子ビューファインダ１４の姿勢を調整する。つまり、電子ビューファインダ用アダプタ１６のチルト部材１０４をパンテーブル１１２に対して傾動させて、電子ビューファインダ１４の接眼部１５２を所望のチルト位置に調整する。そして、チルト規制部材１２０のチルトロックダイヤル１２４をチルト軸１１６の端部に締め込んで、接眼部１５２のチルト位置を所望の位置で保持する。次に、パンテーブル１１２をベース部材１０２に対して回動させて、所望のパン位置に調整する。そして、パン規制部材１２２のパンロックレバー１３０を操作して、電子ビューファインダ１４のパン位置を所望の位置で保持する。この後、撮影者は、接眼部１５２を覗いて被写体の撮影を行う。また、接眼部１５２の位置を上記の位置から変更したい場合には、チルト部材１０４のチルト位置及びパン位置を、上述の手順に沿って適宜調整すればよい。
【０１０６】
一例を挙げて説明すると、図１８の電子ビューファインダ１４は、撮影者側から見てチルト部材１０４（電子ビューファインダ１４）をセンタ位置から４５°右側に回動させたパン位置に保持した形態である。この形態では、チルト部材１０４（電子ビューファインダ１４）の傾動角度は０°である。この場合、撮影者は、カメラ本体１２の背面１２Ｂに対して右斜め後方から電子ビューファインダ１４の接眼部１５２を覗いて撮影を行う。また、図１９の電子ビューファインダ１４は、撮影者側からみてチルト部材１０４（電子ビューファインダ１４）をセンタ位置から９０°上方に傾動させたチルト位置に保持した形態である。この形態では、チルト部材１０４（電子ビューファインダ１４）の回動角度は０°である。この場合、撮影者は、カメラ本体１２の上面１２Ｅの上方から電子ビューファインダ１４の接眼部１５２を覗いて撮影を行う。
【０１０７】
なお、電子ビューファインダ用アダプタ１６には、チルト部材１０４の傾動範囲を規制するストッパ部材、及びチルト部材１０４の回動範囲を規制するストッパ部材を設けることが好ましい。その傾動範囲及び回動範囲で電子ビューファインダ１４のチルト位置及びパン位置を調整すればよい。
【０１０８】
このように、チルト部材１０４を備えた電子ビューファインダ用アダプタ１６を提供することにより、本発明の目的を達成することができる。
【０１０９】
すなわち、実施形態の電子ビューファインダ用アダプタ１６によれば、チルト部材１０４を備えているので、このチルト部材１０４により電子ビューファインダ１４を所望のチルト位置に変更することができる。これにより、撮影者の撮影操作性を向上させることができる。また、持ち運びの際には、電子ビューファインダ用アダプタ１６と後付けの電子ビューファインダ１４を持ち運べばよいので、二つの電子ビューファインダを持ち運ぶ従来の形態と比較して、持ち運びの際の省スペース化を図ることができる。更に、後付けの電子ビューファインダ１４の機能を不要とする撮影者に対しては、電子ビューファインダ用アダプタ１６を介して電子ビューファインダ１４をカメラ本体１２に取り付けることなく、カメラ本体１２のメインディスプレイ２２を使用して被写体を確認する。これにより、後付けの電子ビューファインダ１４の機能を不要とする撮影者へのカメラの小型化対応を両立させることができる。
【０１１０】
また、実施形態の電子ビューファインダ用アダプタ１６は、ベース部材１０２とチルト部材１０４との間に、パンテーブル１１２を備えているので、電子ビューファインダのパン位置を所望のパン位置に変更することができる。したがって、チルト部材１０４との相乗効果により、電子ビューファインダ１４の撮影操作性がより一層向上する。
【０１１１】
また、実施形態の電子ビューファインダ用アダプタ１６は、チルト規制部材１２０とパン規制部材１２２とを備えているので、電子ビューファインダ１４のチルト位置及びパン位置を所望の姿勢で規制（ロック）した状態で被写体を確認することができる。
【０１１２】
また、実施形態の電子ビューファインダ用アダプタ１６は、ベース部材１０２に対するチルト部材１０４のセンタ位置を認識するセンタ認識部１４０を、パンテーブル１１２に備えている。これにより、チルト部材１０４をセンタ位置に合わせた状態で、電子ビューファインダ１４によって被写体を正対して確認したい場合に、チルト部材１０４のセンタ位置を容易に認識することができるので便利である。
【０１１３】
また、実施形態の電子ビューファインダ用アダプタ１６によれば、アクセサリシュー７０は、ベース部材１０２とチルト部材１０４とが平行の場合に、アクセサリシュー装着部５４に対して偏ったチルト部材１０４上の位置に配設されている。これにより、例えば、チルト部材１０４をセンタ位置に合わせた状態であって、ベース部材１０２とチルト部材１０４とが平行の場合に、撮影者は、カメラ本体１２の背面１２Ｂから顔を離した位置で電子ビューファインダ１４を覗くことができる。
【０１１４】
また、実施形態のデジタルカメラ１０によれば、カメラ本体１２のアクセサリシュー２０にかかる電子ビューファインダ用アダプタ１６及び電子ビューファインダ１４の重さによる負荷を、レール部材６０とレール部材６２との係合力で無くすことができるので、アクセサリシュー２０の損傷を防止することができる。また、レール部材６０とレール部材６２との係合を利用して、カメラ本体１２に対する電子ビューファインダ用アダプタ１６の保持、及び出力側コネクタ５６と第１コネクタ６４との接続を同一の動作で行うことができるので、カメラ本体１２に電子ビューファインダ用アダプタ１６を保持させながら、出力側コネクタ５６に第１コネクタ６４を接続することができる。つまり、出力側コネクタ５６に第１コネクタ６４を安定して接続することができる。
【０１１５】
また、実施形態の電子ビューファインダ１４によれば、電子ビューファインダの入力側コネクタ６６にかかる電子ビューファインダ１４の重さによる負荷を、レール部材１４８とレール部材１５０との係合力で無くすことができるので、入力側コネクタ６６の損傷を防止することができる。また、レール部材１４８とレール部材１５０との係合を利用して、電子ビューファインダ用アダプタ１６に対する電子ビューファインダ１４の保持、及び第２コネクタ６８と入力側コネクタ６６との接続を同一の動作で行うことができるので、電子ビューファインダ用アダプタ１６に電子ビューファインダ１４を保持させながら、第２コネクタ６８に入力側コネクタ６６を接続することができる。つまり、第２コネクタ６８に入力側コネクタ６６を安定して接続することができる。
【０１１６】
上記実施の形態では、レンズ交換式のデジタルカメラ１０に本発明を適用した場合を例に説明したが、レンズ一体式のカメラであっても同様に適用できる。また、実施形態では、ノンレフレックス型のデジタルカメラ１０に本発明を適用した場合を例に説明したが、レフレックス型のデジタルカメラにも同様に適用できる。
【符号の説明】
【０１１７】
１０  デジタルカメラ
１２  カメラ本体
１２Ａ  正面
１２Ｂ  背面
１２Ｃ  右側面
１２Ｄ  左側面
１２Ｅ  上面
１２Ｆ  底面
１４  電子ビューファインダ
１６  電子ビューファインダ用アダプタ
１８  撮影レンズ
１８ａ  レンズ駆動部
２０  アクセサリシュー
２２  メインディスプレイ
２４  レンズマウント
２６  サブディスプレイ
２８  シャッターボタン
３０  電源レバー
３２  再生ボタン
３４  消去ボタン
３６  ＡＦロックボタン
３８  ＡＥロックボタン
４０  メニューボタン
４２  セレクターボタン
４４  ＢＡＣＫボタン
４６  リアコマンドダイヤル
４８  操作ダイヤル
５０  グリップ
５２  サムレスト
５４  アクセサリシュー装着部
５６  出力側コネクタ
５８  端子群
６０  レール部材
６２  レール部材
６４  第１コネクタ
６６  入力側コネクタ
６８  第２コネクタ
７０  アクセサリシュー
７２  イメージセンサ
７４  イメージセンサ駆動部
７６  シャッタ
７８  シャッタ駆動部
８０  アナログ信号処理部
８２  画像データ入力部
８４  ワークメモリ
８６  データメモリ
８８  デジタル信号処理部
９０  記録制御部
９２  メインディスプレイ駆動部
９４  サブディスプレイ駆動部
９６  操作部
９８  システムコントローラ
１００  メモリーカード
１０２  ベース部材
１０２Ａ  上面
１０２Ｂ  底面
１０４  チルト部材
１０４Ａ  上面
１０４Ｂ  端部
１１２  パンテーブル
１１２Ｂ  底面
１１４  パン軸
１１６  チルト軸
１１８  チルトアーム
１２０  チルト規制部材
１２２  パン規制部材
１２４  チルトロックダイヤル
１２６  端部フランジ
１２８  ゴムワッシャ
１３０  パンロックレバー
１３２  アーム
１３４  フリクションリング
１３４Ａ  凸部
１３６  旋回座
１３７  テーパガイド部材
１３７Ａ  傾斜面
１３８  フリクションリング
１３８Ａ  凹部
１４０  センタ認識部
１４２  クリックボール
１４４  バネ
１４６  クリックボール嵌合溝
１４７  凹部
１４８  レール部材
１５０  レール部材
１５２  接眼部
１６０  アクセサリシュー
１６２  レール部材
【図１】
0006506479.tif 000002
【図２】
0006506479.tif 000003
【図３】
0006506479.tif 000004
【図４】
0006506479.tif 000005
【図５】
0006506479.tif 000006
【図６】
0006506479.tif 000007
【図７】
0006506479.tif 000008
【図８】
0006506479.tif 000009
【図９】
0006506479.tif 000010
【図１０】
0006506479.tif 000011
【図１１】
0006506479.tif 000012
【図１２】
0006506479.tif 000013
【図１３】
0006506479.tif 000014
【図１４】
0006506479.tif 000015
【図１５】
0006506479.tif 000016
【図１６】
0006506479.tif 000017
【図１７】
0006506479.tif 000018
【図１８】
0006506479.tif 000019
【図１９】
0006506479.tif 000020